(57)【要約】【課題】  浄化性能の優れた空気清浄器を提供すること。【解決手段】  本発明の空気清浄器は、複数の光子を吸収する色素５１が表面に固定された浄化部材５と、色素５１が吸収する周波数の光を浄化部材５に照射する光照射手段４と、をもつことを特徴とする。本発明の空気清浄器は、色素がエネルギーを供与して酸素や光触媒を励起して多量の活性種を生成することができ、多量の汚染物質をすばやく分解浄化できる。【選択図】  図５
2006141880.tif 000002
【特許請求の範囲】
【請求項１】
複数の光子を吸収する色素が表面に固定された浄化部材と、
該色素が吸収する周波数の光を該浄化部材に照射する光照射手段と、
をもつことを特徴とする空気清浄器。
【請求項２】
前記色素は、二つの光子を吸収する請求項１記載の空気清浄器。
【請求項３】
前記色素は、化１式で示される色素である請求項２記載の空気清浄器。
【化１】
2006141880.tif 000007
【請求項４】
前記浄化部材は、前記色素に励起される光触媒をもつ請求項１記載の空気清浄器。
【請求項５】
前記浄化部材と前記光照射手段とが一体に形成された請求項１記載の空気清浄器。
【発明の詳細な説明】
【技術分野】
【０００１】
本発明は、空気清浄器に関し、詳しくは、浄化される空気中に含まれる酸素から活性酸素を生成し、この活性酸素が空気中の被浄化成分を分解浄化する空気清浄器に関する。
【背景技術】
【０００２】
大気中には、微細な粉塵等の汚染物質が含まれている。近年の環境の清浄化における要求においては、この汚染物質を除去することが求められている。大気中の汚染物質の除去には空気清浄器が用いられている。
【０００３】
汚染物質の除去を行う空気清浄器としては、たとえば、図１２に浄化部材５近傍の示した構成の空気清浄器がある。この空気清浄器は、通風路を区画するケース１と、通風路中に配設された通気性をもつとともにその表面にＴｉＯ2等の光触媒が担持された浄化部材５と、浄化部材５の上流側の通風路中であって浄化部材に紫外光を照射するＵＶ光源４３と、を有する。この空気清浄器は、ＵＶ光源４３から紫外光を浄化部材５に照射し、この紫外光により光触媒が空気中の酸素を励起して活性酸素を生成し、通風路中を流れる空気に含まれる汚染物質を活性酸素が分解浄化する。
【０００４】
しかしながら、このような構成の空気清浄器は、通風路中にＵＶ光源４３を配設する必要があり、紫外光による構造部材の劣化等による安全性の問題があった。
【０００５】
このような問題に対して、ＵＶ光源４３を設置せずに可視光線により光触媒を励起する方法がある。たとえば、特許文献１〜３参照。
【０００６】
特許文献１には、その内部に窒素原子またはイオウ原子をもつチタン化合物であり、その表面に電荷分離物質が担持されている光触媒体およびこの光触媒体を用いた光触媒が開示されている。
【０００７】
特許文献２には、酸化物が光触媒作用を呈する金属元素Ｍ１の酸化物結晶について、その内部に窒素原子またはイオウ原子をもち、かつバナジウム、クロム、マンガン、鉄、コバルト、ニッケル、銅、亜鉛、ルテニウム、ロジウム、レニウム、オスミウム、パラジウム、白金、イリジウム、ニオブ、モリブデンのうちの少なくとも１種の金属元素Ｍ２を、酸化物結晶のＭ１サイトの一部に置換、酸化物結晶の格子間にドーピング、あるいは酸化物結晶の多結晶集合体の粒界に配した光触媒物質およびこの光触媒体を用いた光触媒が開示されている。
【０００８】
特許文献３には、その内部に窒素原子をもつ光触媒物質と、蓄水性を有する蓄水性物質と、を含み、基板上に層を形成し得る親水性材料およびこの親水性材料を用いた光触媒が開示されている。
【０００９】
しかしながら、これらの光触媒は、可視光領域の波長の光を吸収できるが、その吸収量が少なく、空気清浄器に用いるためには不十分であった。
【特許文献１】特開２００１−２０５１０３号公報
【特許文献２】特開２００１−２０５１０４号公報
【特許文献３】特開２００１−２０７０８２号公報
【発明の開示】
【発明が解決しようとする課題】
【００１０】
本発明は上記実状に鑑みてなされたものであり、浄化性能の優れた空気清浄器を提供することを課題とする。
【課題を解決するための手段】
【００１１】
上記課題を解決するために本発明者は空気清浄器について検討を重ねた結果本発明をなすに至った。
【００１２】
すなわち、本発明の空気清浄器は、複数の光子を吸収する色素が表面に固定された浄化部材と、色素が吸収する周波数の光を浄化部材に照射する光照射手段と、をもつことを特徴とする。
【発明の効果】
【００１３】
本発明の空気清浄器は、複数の光子を吸収する色素が複数の光子を吸収してエネルギー準位の高い三重項励起状態となり、その後三重項励起状態からエネルギーを供与して酸素や光触媒を励起して一重項励起状態の活性種を生成する。この活性種が汚染物質を分解浄化する。本発明の空気清浄器は、三重項励起状態の色素のエネルギー準位が高く、多量の活性酸素種をすばやく生成できる。多量の活性酸素種を生成できることは、多量の汚染物質をすばやく分解浄化できることを示す。すなわち、本発明の空気清浄器は、すぐれた浄化性能を発揮できる。
【発明を実施するための最良の形態】
【００１４】
本発明の空気清浄器は、浄化部材と、光照射手段と、をもつ。
【００１５】
光照射手段は、色素が吸収する周波数の光を浄化部材に照射する手段である。
【００１６】
浄化部材は、複数の光子を吸収する色素が表面に固定されている。
【００１７】
本発明の空気清浄器は、まず、光子を吸収する色素が光子を吸収してエネルギー準位が高くなり、最終的に色素の周囲に存在する酸素分子を活性酸素種とする。活性酸素種は、空気中の汚染物質分子と接触し、汚染物質分子を酸化分解する。この作用により、本発明の空気清浄器は、汚染物質分子を分解して除去する。
【００１８】
具体的には、色素は、光子（エネルギー）を吸収すると、一重項励起状態に励起される。一重項励起状態の光子は、系間交差を生じてより安定なエネルギー準位の三重項励起状態に遷移する。三重項励起状態は、他の分子（空気中の酸素分子）にエネルギーを渡しやすいエネルギー準位である。このため、三重項励起状態の色素は、酸素分子にエネルギーを渡し、エネルギーを受け取った酸素分子は励起され活性酸素種となり、汚染物質分子の酸化分解に用いられる。
【００１９】
そして、本発明の色素は、複数の光子を吸収して一重項励起状態に励起される。複数の光子を吸収すると、ひとつの光子を吸収したときと比べて、より高いエネルギー準位に励起される。二つの光子を吸収した色素のエネルギー準位およびその後のエネルギー準位の変化を図１に、ひとつの光子を吸収した色素のエネルギー準位およびその後のエネルギー準位の変化を図２に示した。
【００２０】
そして、より高いエネルギー準位の一重項励起状態の色素が系間交差を生じると、三重項励起状態に遷移する。複数の光子を吸収した色素であって三重項励起状態の色素のエネルギー準位は、ひとつの光子を吸収して励起された色素の同様な状態におけるエネルギー準位よりも高くなっている。三重項励起状態の色素のエネルギー準位が高いことは、酸素分子にエネルギーを供与しやすい状態である。つまり、複数の光子を吸収して励起された色素であって三重項励起状態の色素は、ひとつの光子を吸収して励起された色素の同様な状態の色素に比べて、酸素分子へエネルギーを移行させやすく、活性酸素種（一重項励起状態の酸素）をすばやく生成できる。活性酸素種をすばやく生成できることは、より多量の活性酸素種を生成できる。多量の活性酸素種を生成できることは、汚染物質を酸化分解できる量が増加することを示す。この結果、本発明の空気清浄器は、浄化性能に優れた空気清浄器となる。
【００２１】
本発明の空気清浄器において、光照射手段は、色素が吸収する周波数の光を浄化部材に照射することができる手段であれば、特に限定されるものではない。すなわち、外部の光を浄化部材に導く装置であっても、発光源をもつ発光装置であってもよい。
【００２２】
光照射手段が外部の光を浄化部材に導く装置であるときには、空気清浄器内に発光手段をもたなくなり、装置の構成を簡略化できるとともに発光のためのエネルギーが不要になり、低コストで空気の浄化ができるようになる。
【００２３】
また、光照射手段が発光源をもつ発光装置である場合には、光量の安定した光を色素に照射することができる。さらん、夜間等の外部の外部の光がほとんどないような状態でも空気の浄化を行うことができる。このような発光装置の発光源としては、蛍光管、白熱灯、エレクトロルミネッセンスを利用した発光源（有機ＥＬ、薄膜型ＬＥＤ、ＬＥＤ）等をあげることができる。
【００２４】
本発明の空気清浄器において、色素は、浄化部材の表面に固定されている。浄化部材の表面に固定されたことで、色素を流出させることなく保持できる。また、色素を浄化部材の表面に固定することで、浄化部材の形状をさまざまに変化させることができる。色素を浄化部材の表面に固定する方法は、特に限定されるものではない。
【００２５】
浄化部材は、外形を形成する基材と、基材表面に担持された色素と、をもつことが好ましい。基材は、浄化部材の所望の外形を形成できる材質であればよい。ここで、浄化部材が浄化される空気流中に配設される場合には、基材は、所望の剛性をもつことが好ましい。基材は、通気性をもつことが好ましい。基材が通気性をもつことで、浄化部材が通気性をもつことができる。より好ましくは、広い表面積をもつことである。また、基材は、浄化部材に照射される光を透過できることが好ましい。基材が透光性をもつことで、浄化部材に照射された光のうち、色素に吸収されなかった光が基材を透過して、さらに別の色素に照射されるようになる。
【００２６】
このような基材の材質としては、たとえば、セルロース、セラミックス、樹脂（ポリプロピレン、ポリエチレン、ポリスチレン）、ガラス等をあげることができる。また、基材は、コルゲート状やプリーツ形状に形成されたフィルタ、押出成形されたハニカム状のフィルタ、綿状等の形態とすることができる。
【００２７】
また、本発明の空気清浄器は、浄化部材と光照射手段とが一体に形成されたことが好ましい。浄化部材と光照射手段とが一体に形成されることで、光照射手段からの光が減衰することなく浄化部材に照射されるようになる。ここで、本発明の空気清浄器においては、浄化部材が発光源の表面に形成されたことが好ましい。浄化部材が発光源の表面に形成されると、発光源において発生した光がすべて浄化部材に照射されることとなり、エネルギーロスが生じなくなる。発光源の表面に浄化部材が一体に形成されたことがより好ましい。
【００２８】
本発明の色素は、複数の光子を吸収できる色素であれば特に限定されるものではないが、二つの光子を吸収する色素であることが好ましい。この色素は、色素は、化２で示される色素であることがより好ましい。化２で示される色素は、７５０ｎｍの波長の光を二光子吸収する。
【００２９】
【化２】
2006141880.tif 000003
【００３０】
色素は、多孔質の担体に担持された状態で浄化部材の表面に固定されたことが好ましい。多孔質の担体は大きな比表面積をもつため、多量の色素を担持でき、浄化部材に担持される色素の担持量も増加することとなる。この結果、本発明の空気清浄器の浄化性能が向上する。色素が担持される多孔質の担体としては、たとえば、ゼオライト、シリカゲル、活性炭、アルミナ、チタニアをあげることができる。
【００３１】
浄化部材は、色素に励起される光触媒をもつことが好ましい。光触媒を浄化部材がもつと、三重項励起状態の色素が光触媒を励起し、光触媒中に励起電子と正孔（ホール）が発生する。励起電子と正孔は、光触媒の表面に移動する。光触媒の表面に移動した励起電子は空気中（あるいは水中）の酸素を還元してスーパーオキシド（Ｏ2-）に（化３）、正孔は表面の水分（吸着水）を酸化してヒドロキシラジカル（・ＯＨ）に変える。生成したスーパーオキシドおよびヒドロキシラジカルは、汚染物質を分解浄化する。すなわち、浄化部材が光触媒をもつことで、活性酸素種による汚染物質の分解浄化だけでなく、スーパーオキシドおよびヒドロキシラジカルによる汚染物質の分解浄化が行われるようになる（化４，５）。つまり、空気清浄器の浄化性能が向上する。図３に浄化部材が光触媒をもつときの色素のエネルギー準位の変化および光触媒による汚染物質の分解浄化の様子を示した。
【００３２】
【化３】
2006141880.tif 000004
【００３３】
【化４】
2006141880.tif 000005
【００３４】
【化５】
2006141880.tif 000006
【００３５】
本発明の空気清浄器は、浄化部材が光子を吸収する色素を固定していること以外の構成は、従来の空気清浄器と同様の構成とすることができる。たとえば、通風路を区画するケースと、通風路中に配設された浄化部材と、浄化部材に光を照射する光照射手段と、通風路内に汚染物質を含む空気を流すファンと、を備えた構成とすることができる。
【実施例】
【００３６】
以下、実施例を用いて本発明を説明する。
【００３７】
（実施例１）
本発明の実施例として、図４にその構成を示した空気清浄器を製造した。
【００３８】
本実施例の空気清浄器は、浄化される空気および浄化された空気が流れる空気流路を区画する略筒状の通風管１と、通風管１の一方の開口部１０にもうけられ通風管１の外部の空気を通風管１内に導入し導入された空気を通風管１内に流すファン２と、通風管１内であってファン２の下流側に配設された集塵フィルタ３と、通風管１の集塵フィルタ３の下流側の壁面が発光面部４０となるように配設された発光源４１としてもつ発光装置４と、発光装置４に発光源４１を発光させる電力を供給する電源装置（図示せず）と、発光装置４の下流側に配設された通気性をもつとともにその表面に色素が固定された浄化部材５と、をもつ。
【００３９】
浄化部材５は、通風管１ののびる方向と同じ方向にのびるセルをもつ。また、浄化部材５は、透光性をもつポリプロピレンよりなる基材５０と、基材５０の表面に担持された化学式が上記化２に示された色素５１と、から構成される。色素５１は、７５０ｎｍの波長の光を二光子吸収する。浄化部材５の断面を図５に示した。
【００４０】
発光装置４は、光を発する有機ＬＥＤよりなる発光源４１と、通風管１の壁面部を構成するとともに発光源４１から発せられた光が通風管１の内部に向かって透過する透光性をもつ樹脂（ポリプロピレン）よりなる発光面部４０と、を有する。発光装置４は、発光面部４０から通風管１内に向けて発せられた光が浄化部材５に当たるように配設されている。さらに、発光装置４は、７５０ｎｍの波長の光を含む光を発する。本実施例は、発光装置４が複数配設されている。
【００４１】
集塵フィルタ３は、不織布よりなる。集塵フィルタ３は、ファン２により通風管１中に導入された空気に含まれる大きなほこりを除去する。本実施例において集塵フィルタ３は、不織布を用いているが、空気中の大きなほこりを除去できるものであれば特に限定されない。たとえば、所定の開口を有するメッシュをあげることができる。
【００４２】
電源装置は、発光装置４に電力を供給する。電源装置は、発光装置４に供給される電力の電圧の波形、周波数、電流値を設定でき、これらを制御することで発光装置４から発せられる光を調節する。
【００４３】
本実施例の空気清浄器の動作を以下に説明する。
【００４４】
まず、ファン２を稼働させて通風管１内に空気を導入する。通風管１内に導入された空気は、空気流路を進み、集塵フィルタ３を透過する。空気中の大きなほこりは、集塵フィルタ３の不織布の繊維のすき間を透過することができない。このため、集塵フィルタ３を透過した空気は大きなほこりが除去される。集塵フィルタ３を透過した空気は、大きなほこりは除去されたが臭気成分等の小さな分子の汚染物質は除去されない。そして、空気流路に沿って流れ、浄化部材５が設置された部分に到達する。そして、浄化部材５の表面に沿って流れる。
【００４５】
このとき、発光装置４には電源装置から電力が供給されている。電力が供給された発光装置４は、発光部が発光し、その光が浄化部材５に照射される。
【００４６】
光が照射された浄化部材５は、色素５１が光を二光子吸収し、一重項励起状態に励起される。一重項励起状態の色素５１は、系間交差を生じ、三重項励起状態に遷移する。三重項励起状態の色素５１は、色素５１の周囲に存在する酸素分子にエネルギーを供与し、活性酸素種（一重項励起状態の酸素）を生成する。
【００４７】
生成した活性酸素種は、通風管１内を流れる空気中の汚染物質を酸化分解する。
【００４８】
そして、汚染物質が浄化された空気は、通風管１の他方の開口部１１から外部に排出される。
【００４９】
上記したように、本実施例の空気清浄器は、発光装置４から発せられた光が浄化部材５に固定された色素５１を励起し、励起状態から基底状態へと戻るときのエネルギーを用いて酸素分子を活性化し、汚染物質の分解浄化を行っている。本実施例の空気清浄器は、色素５１が二つの光子を吸収して励起されることから、高いエネルギー準位に励起される。高いエネルギー準位に励起されると、多量の活性酸素種を生成できる。この結果、本実施例の空気清浄器は、高い浄化性能を発揮する空気清浄器となっている。
【００５０】
（実施例２）
本実施例は、発光装置４にかえて外部の光を導入する光導入手段６とした以外は、実施例１と同様な構成の空気清浄器である。本実施例の空気清浄器の光導入手段６および浄化部材５の近傍を図６に示した。
【００５１】
光導入手段６は、通風管１の壁面の一部であって浄化部材５に光を照射できる位置にもうけられた透光性をもつ樹脂よりなる発光面部６０と、空気清浄器の外部と発光面部６０とを連通し空気清浄器の外周面の一部に照射された光（通常は可視光）を発光面部に導く導光管６１と、から構成される。
【００５２】
本実施例の空気清浄器は、色素に照射される光が異なる以外は実施例１の空気清浄器と同様な構成をもつ。そして、空気清浄器の外周面の一部に照射された可視光は、７５０ｎｍの波長の光を含むことから、色素５１が実施例１と同様に空気中の汚染物質分子を分解浄化できる。すなわち、本実施例の空気清浄器は、実施例１の空気清浄器と同様にすぐれた浄化性能を発揮する。
【００５３】
（実施例３）
本実施例の空気清浄器は、発光装置４が通風管１内に配設されるとともに浄化部材５における色素５１の固定方法が異なる以外は実施例１と同様な構成の空気清浄器である。本実施例の空気清浄器の発光装置４および浄化部材５の近傍を図７に示した。
【００５４】
発光装置４は、通風管１内に配設された蛍光管よりなる発光源４２を備えている。
【００５５】
浄化部材５は、透光性をもつポリプロピレンよりなる基材５０と、基材５０の表面に担持されたゼオライトよりなる多孔質担体５２と、多孔質担体５２の表面に担持された化学式が上記化２に示された色素５１と、から構成される。色素５１は、実施例１において用いたものと同じ色素である。
【００５６】
本実施例の空気清浄器は、蛍光管よりなる発光源４２が７５０ｎｍの波長の光を含む光を浄化部材５に照射するため、色素５１が実施例１と同様に空気中の汚染物質分子を分解浄化できる。そして、浄化部材５においては、色素５１が多孔質担体５２に担持された状態で基材５０の表面に固定されている。つまり、色素５１が固定される表面が広くなっており、色素５１の担持量を多くすることができる。そして、色素５１の担持量が増加すると、空気清浄器の浄化性能が向上する。すなわち、本実施例の空気清浄器は、すぐれた浄化性能を発揮する。
【００５７】
（実施例４）
本実施例は、浄化部材５がその表面にさらにＴｉＯ2よりなる光触媒５３を担持した以外は、実施例３と同様な構成の空気清浄器である。本実施例の空気清浄器の浄化部材５の表面近傍を図８に示した。
【００５８】
本実施例の空気清浄器は、実施例１と同様に浄化部材５の表面の色素５１が空気中の酸素を励起し、汚染物質の分解浄化を行う。
【００５９】
さらに、本実施例の空気清浄器においては、浄化部材５の表面に光触媒５３が担持されたことで、浄化部材５に照射された光がこの光触媒５３にもあたり、光触媒５３が励起され、空気中の汚染物質分子を分解浄化できる。
【００６０】
加えて、色素５１に隣接した光触媒５３ａは、三重項励起状態の色素５１に励起され、光触媒５３ａ中に励起電子と正孔（ホール）が発生する。励起電子と正孔は、光触媒５３ａの表面に移動する。光触媒５３ａの表面に移動した励起電子は空気中（あるいは水中）の酸素を還元してスーパーオキシド（Ｏ2-）に、正孔は表面の水分（吸着水）を酸化してヒドロキシラジカル（・ＯＨ）に変える。生成したスーパーオキシドおよびヒドロキシラジカルは、汚染物質を分解浄化する。すなわち、浄化部材５が色素５１に隣接した光触媒５３ａをもつことで、スーパーオキシドおよびヒドロキシラジカルによる汚染物質の分解浄化が行われるようになる。
【００６１】
上記したように、本実施例の空気清浄器は、高い浄化性能をもつ。
【００６２】
（実施例５）
本実施例の空気清浄器は、発光装置４と浄化部材５とを一体に形成し、通風管１の内部に複数を配設した以外は実施例１と同様な構成の空気清浄器である。本実施例の空気清浄器の発光装置４および浄化部材５の近傍を図９に示した。
【００６３】
発光装置４は、実施例１で用いたものと同様な発光源４１と、発光源４１の表面に配設された透光性の樹脂よりなる発光面部４０と、をもつ。そして、浄化部材５は、発光装置４の発光面部４０の表面に固定された色素５１よりなる。すなわち、本実施例の空気清浄器においては、発光面部４０を構成する樹脂が浄化部材５の基材を兼ねた構成となっている。
【００６４】
そして、本実施例の空気清浄器は、発光装置４が発光面部４０が空気の流れに沿った状態で通風管１内に複数配設されている。
【００６５】
本実施例の空気清浄器は、発光源４１が発した７５０ｎｍの波長の光を含む光が色素５１に照射されるため、色素５１が実施例１と同様に空気中の汚染物質分子を分解浄化できる。
【００６６】
発光装置４の発光源４１から発せられた光は、発光面部４０に照射され、発光面部４０に担持した色素５１に照射される。つまり、発光源４１と色素５１との距離が短く、減衰が抑えられた光が色素５１に照射される。すなわち、色素５１がより励起されやすいことから、より多くの汚染物質分子を分解浄化できる。この結果、本実施例の空気清浄器は、すぐれた浄化性能を発揮する。
【００６７】
（実施例６）
本実施例の空気清浄器は、発光装置４の発光源を蛍光管よりなる発光源４２とした以外は実施例５と同様な構成の空気清浄器である。本実施例の空気清浄器の発光装置４および浄化部材５の近傍を図１０に示した。
【００６８】
本実施例においては、通風管１の内部に空気の流れ方向に沿った状態で直管状の蛍光管４２が複数本配設され、それぞれの蛍光管４２の表面に色素５１が固定されている。
【００６９】
本実施例の空気清浄器は、実施例４と同様に、すぐれた浄化性能を発揮する。
【００７０】
なお、本実施例の空気清浄器は、蛍光管４２を空気の流れ方向に沿った状態で配設しているが、図１１に示したように、空気の流れ方向に対して垂直な方向に配設してもよい。
【図面の簡単な説明】
【００７１】
【図１】二つの光子を吸収する色素のエネルギー準位の変化を示した図である。
【図２】一つの光子を吸収する色素のエネルギー準位の変化を示した図である。
【図３】光触媒存在下での色素および光触媒のエネルギー準位の変化を示した図である。
【図４】実施例１の空気清浄器の構成を示した図である。
【図５】実施例１の空気清浄器の浄化部材の断面を示した図である。
【図６】実施例２の空気清浄器の光導入手段および浄化部材の近傍の構成を示した図である。
【図７】実施例３の空気清浄器の光導入手段および浄化部材の近傍の構成を示した図である。
【図８】実施例４の空気清浄器の浄化部材の断面を示した図である。
【図９】実施例５の空気清浄器の光導入手段および浄化部材の近傍の構成を示した図である。
【図１０】実施例６の空気清浄器の光導入手段および浄化部材の近傍の構成を示した図である。
【図１１】実施例６の空気清浄器の別の形態の光導入手段および浄化部材の近傍の構成を示した図である。
【図１２】従来の空気清浄器の浄化部材近傍の構成を示した図である。
【符号の説明】
【００７２】
１…通風管                      １０，１１…開口部
２…ファン
３…集塵フィルタ
４…発光装置                    ４０…発光面部
４１，４２…発光源
５…浄化部材                    ５０…基材
５１…色素                      ５２…多孔質担体
５３…光触媒
６…光導入手段                  ６０…発光面部
６１…導光管
【図１】
2006141880.tif 000008
【図２】
2006141880.tif 000009
【図３】
2006141880.tif 000010
【図４】
2006141880.tif 000011
【図５】
2006141880.tif 000012
【図６】
2006141880.tif 000013
【図７】
2006141880.tif 000014
【図８】
2006141880.tif 000015
【図９】
2006141880.tif 000016
【図１０】
2006141880.tif 000017
【図１１】
2006141880.tif 000018
【図１２】
2006141880.tif 000019